(57)【要約】【課題】本発明は、容器上のプロテクターリングの周縁段部に弾性介装体とＯリングを設け、蓋の密閉と開閉を確実化することである。【解決手段】本発明による容器のクランプ構造は、容器(1)の開口(2)上に設けたプロテクターリング(5)の片面又は両面に設けた周縁段部(20,20a)に設けたＯリング(21又は21a)と弾性介装体(22又は22a)を介して、蓋(6)とプロテクターリング(5)と容器(1)の第２輪状係合部(4)とを締付部材(9)で締結することにより、簡単かつ確実に蓋(6)を容器(1)に締結又は締結解除できる構成である。【選択図】図１
2014169105.tif 000002
【特許請求の範囲】
【請求項１】
上部に開口(2)を有する容器(1)と、前記開口(2)の周縁に形成され下方に向けて突出する第２輪状係合部(4)を有する輪状周縁部(3)と、前記輪状周縁部(3)上に設けられたプロテクターリング(5)と、前記プロテクターリング(5)上に設けられた蓋(6)と、前記蓋(6)の周縁上に設けられた第１輪状係合部(8)と、前記第１輪状係合部(8)と前記第２輪状係合部(4)に係合し前記蓋(6)，前記プロテクターリング(5)及び前記輪状周縁部(3)を挟持するための締付部材(9)と、よりなる容器のクランプ構造において、
前記プロテクターリング(5)の第１周縁段部(20)と前記蓋(6)との間には、第１Ｏリング(21)と第１弾性介装体(22)が設けられていることを特徴とする容器のクランプ構造。
【請求項２】
前記プロテクターリング(5)の下面(5b)には第２周縁段部(20a)が設けられ、前記第２周縁段部(20a)には第２Ｏリングと第２弾性介装体(22a)が設けられていることを特徴とする請求項１記載の容器のクランプ構造。
【請求項３】
前記各弾性介装体(22,22a)は、前記各介装体(22,22a)に設けられた弾性抑え体(23,23a)により支持されていることを特徴とする請求項１又は２記載の容器のクランプ構造。
【発明の詳細な説明】
【技術分野】
【０００１】
本発明は、容器のクランプ構造に関し、特に、プロテクターリングの周縁段部に設けたＯリングと弾性介装体を介して蓋を設けることにより、蓋の容易な開閉及び洗浄作業等の容易化並びに、本来よりも少数の締付部材で締付ができるようにするための新規な改良に関する。
【背景技術】
【０００２】
従来のマンホール構造としては、例えば、特許文献１に開示されているが、一般には、図５及び図６で示される構成が一般に多用されている。
すなわち、図５及び図６において符号１で示されるものは有底形の容器であり、この容器１の開口２の輪状周縁部３の下面には、突起状をなす第２輪状係合部４が形成されている。
前記開口２の輪状周縁部３上には、グラスライニングＧを施工したプロテクターリング５が載置して設けられ、このプロテクターリング５上には蓋６が設けられている。
【０００３】
前記プロテクターリング５の外周には、複数のラグ７が外方へ向けて突出して設けられている。ラグ７はボルト１０と止め金具１１により、第２輪状係合部と狭持することによって、前記プロテクターリング５を容器１に強圧して保持するように構成されている。
前記蓋６の周縁上には第１輪状係合部８が設けられ、このプロテクターリング５の外周位置には、フック形状の締付部材９が係合され、この締付部材９は前記第１輪状係合部８と輪状周縁部３を互いに近付ける方向に挟持することによって前記蓋６を容器１に強圧して保持するように構成されている。
【先行技術文献】
【特許文献】
【０００４】
【特許文献１】特許第４４７６８２９号公報
【発明の概要】
【発明が解決しようとする課題】
【０００５】
従来の容器のクランプ構造は、以上のように構成されていたため、次のような課題が存在していた。
すなわち、一般に、医薬、電材、化成品、食品、石油などの産業分野のプラントでは、化学反応槽や貯槽などとして大型容器が使用される。それらの容器には、内部洗浄、点検などのメンテナンス用、原料投入用などのために蓋の付いたマンホールが設けられている。このマンホールには、蓋を固定する手段として、大別してクランプタイプとボルトナットタイプのものがあることが知られる。その固定には密閉性、安全性が高いこと、廉価であることなどが求められる。
しかし、容器内の洗浄、点検などのメンテナンスを頻繁に行なう場合には、クランプ又はボルトを緩め、これらを取り外す作業に多大な手間を要することから、蓋の開閉にかかる労力の低減が望まれる。また、一連のプラントにおける各容器に設けられているマンホールの数や、マンホールの径が大きい場合にクランプとボルトも相当数に及ぶことを考慮すれば、蓋の開閉が半年乃至一年に一度の作業である場合においても、蓋の開閉は、より簡便、迅速に行えることが好ましい。
【０００６】
本発明は、蓋と容器との間に介装されるプロテクターリングの周縁段部にＯリングと介装体を介して取付けるため、十分なシール効果を得ることができ、締付部材の数を少なくすることができることである。
【課題を解決するための手段】
【０００７】
本発明による容器のクランプ構造は、上部に開口を有する容器と、前記開口の周縁に形成され下方に向けて突出する第２輪状係合部を有する輪状周縁部と、前記輪状周縁部上に設けられたプロテクターリングと、前記プロテクターリング上に設けられた蓋と、前記蓋の周縁上に設けられた第１輪状係合部と、前記第１輪状係合部と前記第２輪状係合部に係合し前記蓋，前記プロテクターリング及び前記輪状周縁部を挟持するための締付部材と、よりなる容器のクランプ構造において、前記プロテクターリングの第１周縁段部と前記蓋との間には、第１Ｏリングと第１弾性介装体が設けられている構成であり、また、前記プロテクターリングの下面には第２周縁段部が設けられ、前記第２周縁段部には第２Ｏリングと第２弾性介装体が設けられている構成であり、また、前記各弾性介装体は、前記各介装体に設けられた弾性抑え体により支持されている構成である。
【発明の効果】
【０００８】
本発明による容器のクランプ構造は、以上のように構成されているため、次のような効果を得ることができる。
すなわち、上部に開口を有する容器と、前記開口の周縁に形成され下方に向けて突出する第２輪状係合部を有する輪状周縁部と、前記輪状周縁部上に設けられたプロテクターリングと、前記プロテクターリング上に設けられた蓋と、前記蓋の周縁上に設けられた第１輪状係合部と、前記第１輪状係合部と前記第２輪状係合部に係合し前記蓋，前記プロテクターリング及び前記輪状周縁部を挟持するための締付部材と、よりなる容器のクランプ構造において、前記プロテクターリングの第１周縁段部と前記蓋との間には、第１Ｏリングと第１弾性介装体が設けられていることにより、Ｏリングと介装体によりシール効果が大で、本来必要とする締付部材の数よりも少ない数で十分なシールができる。
また、前記プロテクターリングの下面には第２周縁段部が設けられ、前記第２周縁段部には第２Ｏリングと第２弾性介装体が設けられていることにより、プロテクターリングと容器との間のシール効果が大で、本来必要とするラグの数よりも少ない数で十分なシールができる。
また、前記各弾性介装体は、前記各介装体に設けられた弾性抑え体により支持されていることにより、介装体の取付けが簡単かつ容易となる。
【図面の簡単な説明】
【０００９】
【図１】本発明による容器のクランプ構造を示す平面図である。
【図２】図１の要部の拡大断面図である。
【図３】図１の他の形態を示す平面図である。
【図４】図３の要部の拡大断面図である。
【図５】従来の容器のクランプ構造を示す平面図である。
【図６】図５の要部の拡大断面図である。
【発明を実施するための形態】
【００１０】
本発明は、プロテクターリングの周縁段部に設けたＯリングと介装体を介して蓋を設けることにより、蓋の容易な開閉及び洗浄作業並びに本来よりも少数の締付部材で締付ができるようにした容器のクランプ構造を提供することを目的とする。
【実施例】
【００１１】
以下、図面と共に本発明による容器のクランプ構造の好適な実施の形態について説明する。
尚、従来例と同一又は同等部分については同一符号を用いて説明する。
図１及び図２において、符号１で示されるものは有底形の容器であり、この容器１の開口２の輪状周縁部３の下面には、突起状をなす第２輪状係合部４が形成されている。
前記開口２の輪状周縁部３上には、グラスライニングＧを施工したプロテクターリング５が載置して設けられ、このプロテクターリング５上には蓋６が設けられている。
前記プロテクターリング５の外周には、複数のラグ７が外方へ向けて突出して設けられている。前記蓋６の周縁上には第１輪状係合部８が設けられている。
【００１２】
前記プロテクターリング５の周縁に形成された第１周縁段部２０と前記蓋６との間には、第１Ｏリング２１と四角形でテフロン（登録商標）、ポリプロピレン、塩化ビニール等からなる第１弾性介装体２２が設けられ、この第１弾性介装体２２はＬ字型の弾性材からなる第１弾性抑え体２３によって第１周縁段部２０の周縁に保持されている。
【００１３】
前述の図２の構成において、クランプ又はボルトと金具等の組合せからなる周知の締付部材９によって、第１輪状係合部８の外側及び前記第２輪状係合部４の外側を挟持するように締付けることにより、容器１の開口２に対してプロテクターリング５が第１Ｏリング２１及び第１弾性介装体２２を介して弾性的に押圧され完全なシールが行われる。
尚、前述の場合、前記、第１Ｏリング８の上面及び第１弾性介装体２２の上面はプロテクターリング５の上面５ａよりも若干高くなるように構成されている。
【００１４】
図３及び図４は図２の他の形態を示し、図２と同一部分には同一符号を付してその説明を省略し、図２と異なる部分についてのみ説明する。
すなわち、前記プロテクターリング５の下面５ｂにも前述と同様の第２周縁段部２０ａが形成され、この第２周縁段部２０ａにも前述と同様の第２Ｏリング２１ａ及び第２弾性介装体２２ａが設けられ、前記各弾性介装体２２,２２ａはＬ字型の第２弾性抑え体２３ａによって前記第１、第２周縁段部２０,２０ａに押圧保持されている。
【００１５】
前記各周縁段部２０、２０ａは、断面でみてＴ字型をなしているため、一対の前記各Ｏリング２１,２１ａ及び各弾性介装体２２,２２ａは前記各周縁段部２０、２０ａに対して極めて良好な状態で位置決めできる。
尚、前記各弾性介装体２２、２２ａは、平面で見てプロテクターリング５の周縁に保持されている。
【００１６】
従って、前述の図２の構成においては、前記第１周縁段部２０上に第１Ｏリング２１と第１弾性介装体２２が設けられているため、前記第１輪状係合部８と前記第２輪状係合部４とを締付部材９で簡単、迅速かつ確実に締結又は締結解除でき、さらに、蓋６の開閉かつ洗浄等も容易となる。
また、図３及び図４の他の構成についても、前記プロテクターリング５の両面に一対のＯリング２１,２１ａを用いており、図２の構成よりもより確実にシールリング作用及び効果を得ることができる。
【産業上の利用可能性】
【００１７】
本発明による容器のクランプ構造は、容器の開口に設けたプロテクターリング５の片面又は両面にＯリングと介装体を設けることにより、あらゆる容器の蓋による簡単、迅速、確実にシール又はシール解除できる。
【符号の説明】
【００１８】
１    容器
２    開口
３    輪状周縁部
４    第２輪状係合部
５    プロテクターリング
Ｇ    グラスライニング
５ａ    上面
５ｂ    下面
６    蓋
７    ラグ
８    第１輪状係合部
９    締付部材
１０    ボルト
１１    止め金具
２０    第１周縁段部
２０ａ    第２周縁段部
２１    第１Ｏリング
２１ａ    第２Ｏリング
２２    第１弾性介装体
２２ａ    第２弾性介装体
２３      第１弾性抑え体
２３ａ    第２弾性抑え体
【図１】
2014169105.tif 000003
【図２】
2014169105.tif 000004
【図３】
2014169105.tif 000005
【図４】
2014169105.tif 000006
【図５】
2014169105.tif 000007
【図６】
2014169105.tif 000008